(57)【要約】【課題】スペースを要することなく簡単な作業でワイヤーハーネスを確実に固定支持することができる画像形成装置等のワイヤーハーネス支持構造を提供すること。【解決手段】ソレノイド１２やＰＩセンサ１３（電気部品等）に導通するワイヤーハーネス１６を本体部（樹脂部材）１０Ａに形成された溝１５に沿って配索して成る画像形成装置の前記ワイヤーハーネス１６の支持構造であって、前記本体部１０Ａに形成された溝１５に嵌合して前記ワイヤーハーネス１６を押さえて保持する保持部材１７ａ〜１７ｄと、該保持部材１７ａ〜１７ｄを固定して前記溝１５からの脱落を防ぐ固定手段を設ける。ここで、前記固定手段を、前記本体部１０Ａに対向する開閉可能なカバー１４に突設された突起及び前記保持部材１７ｄの上を跨いで張設されたバネ１９によって構成する。【選択図】図５
2010056352.tif 000002
【特許請求の範囲】
【請求項１】
電気部品等に導通するワイヤーハーネスを樹脂部材に形成された溝に沿って配索して成る画像形成装置等の前記ワイヤーハーネスの支持構造であって、
前記樹脂部材に形成された溝に嵌合して前記ワイヤーハーネスを押さえて保持する保持部材と、該保持部材を固定して前記溝からの脱落を防ぐ固定手段を設けたことを特徴とする画像形成装置等のワイヤーハーネス支持構造。
【請求項２】
前記固定手段を、前記樹脂部材に対向する開閉可能なカバーに突設された突起によって構成したことを特徴とする請求項１記載の画像形成装置等のワイヤーハーネス支持構造。
【請求項３】
前記固定手段を、前記保持部材の上を跨いで張設されたバネによって構成したことを特徴とする請求項１記載の画像形成装置等のワイヤーハーネス支持構造。
【発明の詳細な説明】
【技術分野】
【０００１】
本発明は、電気部品等に導通するワイヤーハーネスを樹脂部材に形成された溝に沿って配索して成る画像形成装置等の前記ワイヤーハーネスの支持構造に関するものである。
【背景技術】
【０００２】
用紙に画像を形成する複写機やプリンタ等の画像形成装置及びその周辺機器（以下、「画像形成装置等」と称する）においては、各種電気部品等に導通するワイヤーハーネスを樹脂部材に形成された溝に沿って配索する構成が採用されている。
【０００３】
ところで、樹脂部材に形成された溝に沿って配索されたワイヤーハーネスには、これに或る程度の外力が加わっても溝から脱落しないことが求められ、そのための処理が従来から種々なされている。例えば、ワイヤーサドルやスナップ付きバンド等の処理部材によってワイヤーハーネスを支持する第１の方法、ワイヤーハーネスが配索される樹脂部材にフックを形成し、このフックでワイヤーハーネスを支持する第２の方法、ワイヤーハーネスの上からフィルム等を貼り付ける第３の方法、ワイヤーハーネスが配索される樹脂部材に形成された溝に保持部材を圧入する第４の方法等が実施されている。
【０００４】
ところで、画像形成装置におけるワイヤーハーネスの配線構造に関して、例えば特許文献１には、ワイヤーハーネスの一部を保持する保持部材を当該ワイヤーハーネスの一部に張力を付与又は解除する方向に移動自在に取り付けるとともに、画像形成装置の可動部材に連動して前記保持部材をワイヤーハーネスの一部に張力を付与又は解除する方向に移動させる連動手段を設けることによって、作業手順に限定を受けることなくワイヤーハーネスの配線を操作性良く行うとともに、ワイヤーハーネスに弛みが発生するのを防ぐことができる配線構造が提案されている。
【０００５】
又、特許文献２には、画像形成装置の筐体部に凹部と支持穴を設け、支持穴には、これに折曲片が差し込まれることによって揺動可能な取付部材を設け、該取付部材とこれに対向する前記凹部とでフラットケーブルを保持することによって、コストアップを招くことなくフラットケーブルを確実に保持することができるとともに、フラットケーブルから発生する電磁波の影響を他の電子部品に及ぼすことのないケーブル支持構造が提案されている。
【特許文献１】特開平９−２８９３８２号公報
【特許文献２】特開２００２−２４０３９３号公報
【発明の開示】
【発明が解決しようとする課題】
【０００６】
ところが、配線処理に関する前記第１の方法のようにワイヤーサドルやスナップ付きバンド等の処理部材によってワイヤーハーネスを支持する構成では、ワイヤーハーネスを配索する樹脂部材の裏面に処理部材の足が飛び出してしまうため、余分なスペースが必要となるという問題がある。
【０００７】
又、ワイヤーハーネスが配索される樹脂部材にフックを形成し、このフックでワイヤーハーネスを支持する前記第２の方法では、金型の構成上、フック部に孔があいてしまう他、処理作業に時間が掛かり、作業時にワイヤーハーネスを傷付ける可能性がある。
【０００８】
更に、ワイヤーハーネスの上からフィルム等を貼り付ける前記第３の方法ではフィルムが剥がれる可能性があり、ワイヤーハーネスが配索される樹脂部材に形成された溝に保持部材を圧入する前記第４の方法では保持部材が外れる可能性がある。
【０００９】
本発明は上記問題に鑑みてなされたもので、その目的とする処は、スペースを要することなく簡単な作業でワイヤーハーネスを確実に固定支持することができる画像形成装置等のワイヤーハーネス支持構造を提供することにある。
【課題を解決するための手段】
【００１０】
上記目的を達成するため、請求項１記載の発明は、電気部品等に導通するワイヤーハーネスを樹脂部材に形成された溝に沿って配索して成る画像形成装置等の前記ワイヤーハーネスの支持構造であって、前記樹脂部材に形成された溝に嵌合して前記ワイヤーハーネスを押さえて保持する保持部材と、該保持部材を固定して前記溝からの脱落を防ぐ固定手段を設けたことを特徴とする。
【００１１】
請求項２記載の発明は、請求項１記載の発明において、前記固定手段を、前記樹脂部材に対向する開閉可能なカバーに突設された突起によって構成したことを特徴とする。
【００１２】
請求項３記載の発明は、請求項１記載の発明において、前記固定手段を、前記保持部材の上を跨いで張設されたバネによって構成したことを特徴とする。
【発明の効果】
【００１３】
請求項１記載の発明によれば、樹脂部材に形成された溝に嵌合してワイヤーハーネスを押さえて保持する保持部材を固定手段によって固定することによって、保持部材の前記溝からの脱落を防ぐようにしたため、スペースを要することなく簡単な作業でワイヤーハーネスを確実に固定支持することができる。
【００１４】
請求項２記載の発明によれば、カバーを閉じることによって該カバーに突設された突起によって保持部材を押さえることができ、カバーを閉じるという簡単な作業で保持部材の溝からの脱落を防ぐことができ、特別なスペースを要することなくワイヤーハーネスを確実に固定支持することができる。
【００１５】
請求項３記載の発明によれば、保持部材の上を跨いで張設されたバネによって保持部材の溝からの脱落を防ぐことができ、スペースを要することなく簡単な作業でワイヤーハーネスを確実に固定支持することができる。
【発明を実施するための最良の形態】
【００１６】
以下に本発明の実施の形態を添付図面に基づいて説明する。
【００１７】
図１は本発明に係るワイヤーハーネス支持構造を備えた画像形成装置の外観斜視図であり、図示の画像形成装置１は、コピー機能とプリンタ機能及びファクス機能を兼備した複合機であって、その画像形成装置本体２の上部には自動原稿搬送装置３が設置され、その下方には原稿読取装置４が配置され、その前側には操作表示部５が設けられている。又、画像形成装置本体２の内部には不図示のプリント部が収容されており、同画像形成装置本体２の左側面上部には排紙トレイ６が配され、前面には用紙を収容した上下４段の給紙カセット７ａ，７ｂ，７ｃ，７ｄが前面側（手前側）に引き出し可能に設けられている。
【００１８】
而して、上記のように構成された画像形成装置１において自動原稿搬送装置３の原稿トレイ８上に積載された原稿Ｐを自動で連続的に読み取る場合には、原稿Ｐは、画像形成装置本体２に上面に設けられたプラテンガラス等の不図示の原稿載置部へと１枚ずつ送り込まれ、その画像が原稿読取装置４によって読み取られた後に排紙トレイ９上へと排出される。
【００１９】
又、原稿Ｐを１枚ずつ手動で読み取る場合には、自動原稿搬送装置３をその後端部を中心として上方へ回動させて原稿載置部を開き、原稿Ｐを原稿載置部に載置した後に自動原稿搬送装置３をその後端部を中心として下方へ回動させて原稿載置部を閉じ、操作表示部５をキー操作して原稿Ｐの画像を画像読取装置４によって読み取る。
【００２０】
上述のようにして原稿Ｐの画像が原稿読取装置４によって読み取られると、画像形成装置本体２に内蔵されたプリント部は、読み取られた画像データに基づいてトナー画像を形成し、給紙カセット７ａ〜７ｄの何れかから送り出された用紙にトナー画像を転写する。そして、用紙上に転写されたトナー画像は、不図示の定着装置によって加熱及び加圧されて用紙上に定着され、トナー画像が定着された用紙は、排紙トレイ６へと排出されて一連の画像形成動作が終了する。尚、以上は画像形成装置１が複写機として機能する場合の動作について説明したが、プリント部がパソコンやファクシミリ装置から送信されてくる画像データに基づいて用紙上に画像を形成することによって画像形成装置１はプリンタ機能及びファクシミリ機能を果たすこともできる。
【００２１】
ここで、自動原稿搬送装置３の詳細を図２〜図５に基づいて説明する。図２は自動原稿搬送装置の斜視図、図３は同自動原稿搬送装置要部のカバーを取り外した状態を示す斜視図、図４は図３の要部拡大詳細図、図５は同自動原稿搬送装置要部のカバーを取り外した状態を示す平面図（配線図）である。
【００２２】
図２に示す自動原稿搬送装置３は、原稿トレイ８上に積載された原稿Ｐを画像形成装置本体２上の原稿載置部に１枚ずつ自動搬送するものであって、原稿Ｐを載置するための前記原稿トレイ８と、該原稿トレイ８に載置された原稿を横Ｕ字状の搬送経路に沿って搬送する原稿搬送部１０と、原稿トレイ８の下方に配置された前記排紙トレイ９を備えている。ここで、原稿搬送部１０は、図２に示すように、樹脂製の本体部１０Ａに搬送ローラ１１や電気部品であるソレノイド１２、ＰＩセンサ１３等を配設し、この本体部１０Ａの上部を開閉可能な樹脂製のカバー１４で覆って構成されている。
【００２３】
ところで、図４に示すように、原稿搬送部１０の樹脂製の本体部１０Ａには直角に屈曲する横断面矩形の溝１５が形成されており、この溝１５には、前記ソレノイド１２やＰＩセンサ１３に導通するワイヤーハーネス１６が配索されている。そして、ワイヤーハーネス１６が配索された本体部１０Ａの溝１５には、ワイヤーハーネス１６を上方から押さえてこれを保持する４つの保持部材１７ａ，１７ｂ，１７ｃ，１７ｄが嵌合している。ここで、各保持部材１７ａ〜１７ｄはスポンジ等の弾性体で矩形ブロック状に成形されており、その幅寸法は溝１５の幅寸法よりも若干大きく設定されており、これを圧縮した状態で溝１５に嵌め込むことによって該保持部材１７ａ〜１７ｄが溝１５に圧入される。
【００２４】
他方、図３に示すように、前記カバー１４の裏面の３つの保持部材１７ａ，１７ｂ，１７ｃに対応する箇所には円柱状の突起１８ａ，１８ｂ，１８ｃが下方に向かって一体に突設されている。尚、各突起１８ａ〜１８ｃは、カバー１４を原稿搬送部１０の本体部１０Ａに上から被せて取り付けると、その先端が各保持部材１７ａ〜１７ｃに当接してこれらの溝１５からの脱落を防ぐための固定手段として構成されている。
【００２５】
又、残る１つの保持部材１７ｄは、図３〜図５に示すように、その上を跨いで張設されたバネ１９によって溝１５からの脱落が防がれており、このバネ１９が保持部材１７ｄの固定手段を構成している。尚、前記ＰＩセンサ１３は、板金製の２つの接点端子２０，２１とこれらの間に張設されたバネ２２及び前記バネ１９を介して板金部材２３に導通することによってアース取りがなされている。
【００２６】
以上のように、本実施の形態では、カバー１４を閉じることによって該カバー１４に突設された突起１８ａ〜１８ｃによって保持部材１７ａ〜１７ｃを押さえることができ、カバー１４を閉じるという簡単な作業で保持部材１７ａ〜１７ｃの溝１５からの脱落を確実に防ぐことができる。又、保持部材１７ｄの上を跨いで張設された既設のバネ１９によって該保持部材１７ｄを上から押さえることができる。従って、本実施の形態によれば、特別なスペースを要することなく簡単な作業でワイヤーハーネス１６を確実に固定支持することができるという効果が得られる。
【００２７】
尚、以上は本発明を画像形成装置に備えられた自動原稿搬送装置に適用した形態について説明したが、本発明は、画像形成装置の他の部位に配索されるワイヤーハーネスの支持構造、或いは画像形成装置とは独立に構成される自動原稿搬送装置等の周辺機器のワイヤーハーネス支持構造に対しても同様に適用可能であることは勿論である。
【図面の簡単な説明】
【００２８】
【図１】本発明に係るワイヤーハーネス支持構造を備えた画像形成装置の外観斜視図である。
【図２】自動原稿搬送装置の斜視図である。
【図３】自動原稿搬送装置要部のカバーを取り外した状態を示す斜視図である。
【図４】図３の要部拡大詳細図である。
【図５】自動原稿搬送装置要部のカバーを取り外した状態を示す平面図（配線図）である。
【符号の説明】
【００２９】
１              画像形成装置
２              画像形成装置本体
３              自動原稿搬送装置
４              原稿読取装置
５              操作表示部
６              排紙トレイ
７ａ〜７ｄ      給紙カセット
８              原稿トレイ
９              排紙トレイ
１０            原稿搬送部
１０Ａ          原稿搬送部の本体部
１１            搬送ローラ
１２            ソレノイド（電気部品）
１３            ＰＩセンサ（電気部品）
１４            カバー
１５            溝
１６            ワイヤーハーネス
１７ａ〜１７ｄ  保持部材
１８ａ〜１８ｃ  カバーの突起（固定手段）
１９            バネ（固定手段）
２０，２１      接点端子
２２            バネ
２３            板金部材
Ｐ              原稿
【図１】
2010056352.tif 000003
【図２】
2010056352.tif 000004
【図３】
2010056352.tif 000005
【図４】
2010056352.tif 000006
【図５】
2010056352.tif 000007